(57)【要約】  シガレットパッケージは、上端に開口（４）を有する箱（２）と、開口（４）の一方の側縁にヒンジ（６）を介して結合された蓋（８）と、箱（２）内から引き出し可能な引出しフリッパ（１８）とを有し、蓋（８）が開かれたとき、引き出しフリッパ（１８）は、蓋（８）から箱（２）の開口（４）に亘って延びるポップアップ壁（２０）を形成する。
2009157344.tif 000002
【特許請求の範囲】
【請求項１】
上端に矩形の開口を有する直方体形状の箱と、
前記箱における前記開口の一方の側縁にヒンジを介して結合され、前記ヒンジを中心に回動されたとき、前記開口を開閉する蓋と、
前記蓋から垂下された引き出しフリッパであって、前記蓋が閉じられているときには前記箱内に収容され、前記蓋が開かれたときには前記箱から前記開口を通じて引き出され、前記蓋から前記箱の前記開口に亘って延びるポップアップ壁を提供する、引出しフリッパと
を具備するシガレットパッケージ。
【請求項２】
前記ポップアップ壁は、前記ヒンジを中心としたセクタ形状を有する、請求項１に記載のシガレットパッケージ。
【請求項３】
前記ポップアップ壁は９０°の中心角を有する、請求項２に記載のシガレットパッケージ。
【請求項４】
前記ポップアップ壁は前記開口の幅に一致した半径を有する、請求項２に記載のシガレットパッケージ。
【請求項５】
前記箱は、開口端を有する箱ボディと、前記開口端から部分的に突出し、前記開口の前縁及び他方の側縁を提供するインナフレームとを含み、
前記蓋は直方体形状をなし、前記箱ボディの前記開口端に合致可能な開口端を有する、請求項２に記載のシガレットパッケージ。
【請求項６】
前記箱ボディの開口端は、前記開口の前縁及び他方の側縁を露出させる前縁及び側縁を含み、前記開口端の前縁及び側縁は展開されたときに略Ｕ字形を形作るべく、傾斜部分をそれぞれ有する、請求項５に記載のシガレットパッケージ。
【請求項７】
前記インナフレームはその上縁に凹みを有し、この凹みは前記開口の前記前縁から前記他方の側縁に亘って形成されている、請求項６に記載のシガレットパッケージ。
【請求項８】
前記凹みは前記開口の前記前縁に位置した前側部分を含み、この前側部分は前記開口端の前記前縁と同様な形状を有する、請求項７に記載のシガレットパッケージ。
【発明の詳細な説明】
【技術分野】
【０００１】
本発明は、シガレットやフィルタシガレット等のシガレット製品を収容するためのシガレットパッケージに関する。
【背景技術】
【０００２】
この種のシガレットパッケージにはヒンジリッドパッケージが広く使用されている。公知のヒンジリッドパッケージは、上端に開口を有した箱と、この箱の開口にヒンジを介して結合された蓋とを含み、この蓋はヒンジを中心に回動され、蓋の開口を開閉する（特許文献１）。【０００３】
【特許文献１】特開平5-213340号公報
【発明の開示】
【発明が解決しようとする課題】
【０００４】
上述のヒンジリッドパッケージは長年に亘って使用されている。それ故、ヒンジリッドパッケージは、その開閉形態に最早目新しさを有しておらず、ユーザに購買意欲を喚起させるものではない。また、シガレットパッケージの外面に許容される広告のための領域は大きく制約されていることから、シガレットパッケージの外面にシガレット製品に関する情報を十分に表示できない。【０００５】
本発明の目的は、新奇な開閉形態を有し、且つ、そのシガレット製品の情報のための表示領域を十分に確保したシガレットパッケージを提供することにある。
【課題を解決するための手段】
【０００６】
上記の目的を達成するため、本発明のシガレットパッケージは、上端に矩形の開口を有する直方体形状の箱と、この箱における開口の一方の側縁にヒンジを介して結合され、ヒンジを中心に回動されたとき、開口を開閉する蓋と、この蓋から垂下された引き出しフリッパであって、蓋が閉じられているときには箱内に収容され、蓋が開かれたときには箱から開口を通じて引き出され、蓋から箱の開口に亘って延びるポップアップ壁を提供する、引出しフリッパとを備える。【０００７】
上述のシガレットパッケージによれば、蓋はそのヒンジを中心として箱の幅方向に回動されることにより、箱の開口を開閉する。これに対し、一般的なヒンジリッドパッケージの場合、蓋はその箱の前後方向に回動されることにより、箱の開口を開閉する。それ故、本発明のシガレットパッケージにおける蓋の開閉形態は、一般的にシガレットパッケージとは大きく相違する。【０００８】
また、蓋が開かれたとき、引き出しフリッパは箱内から飛び出したポップアップ壁を出現させる。このようなポップアップ壁は、蓋の開姿勢に独特な印象を提供する。また、ポップアップ壁は、シガレット商品のための広告やその商品情報を表示する表示領域としても利用可能となる。【０００９】
具体的には、ポップアップ壁は、ヒンジを中心としたセクタ形状を有する。この場合、ポップアップ壁は９０°の中心角を有し、また、箱における開口の幅に一致した半径を有する、このようなポップアップ壁は、箱からの引き出しフリッパの引き出し、つまり、蓋の円滑な開閉を許容する一方、上述の表示領域を広く確保する。【００１０】
箱は、開口端を有する箱ボディと、開口端から部分的に突出し、開口の前縁及び他方の側縁を提供するインナフレームとを含み、一方、蓋は直方体形状をなし、箱ボディの開口端に合致可能な開口端を有する。この場合、箱ボディの開口端は、開口の前縁及び他方の側縁を露出させる前縁及び側縁を含み、開口端の前縁及び側縁は展開されたときに略Ｕ字形を形作るべく、傾斜部分をそれぞれ有する。【００１１】
前述した開口端の形状は、一般的な箱ボディにおける開口端の形状とは大きく相違し、独特な外観を提供する。【００１２】
インナフレームはその上縁に凹みを有し、この凹みは開口の前縁から他方の側縁に亘って形成されている。このような凹みはインナフレームに所謂、アクセス開口を提供する。一般的なシガレットパッケージのアクセス開口とは異なり、本発明のアクセス開口は開口の他方の側縁にまで広がっているので、独特な外観を呈する。具体的には、凹みは開口の前縁に位置した前側部分を含み、この前側部分は開口端の前縁と同様な形状を有することができる。
【発明の効果】
【００１３】
本発明のシガレットパッケージの蓋は、箱の前後方向ではなく左右方向にヒンジを中心として回動されることによって箱の開口を開閉し、そして、蓋が開かれたとき、箱から引き出された引出しフリッパは蓋と箱の開口との間にポップアップ壁を出現させる。それ故、本発明のシガレットパッケージは独特な開閉形態を提供し、また、ポップアップ壁はシガレットパッケージの外面とは別に、シガレット商品の広告や商品情報を表示するための広い領域を提供する。
【図面の簡単な説明】
【００１４】
【図１】一実施例のシガレットパッケージを閉状態にて示した斜視図である。
【図２】図１のパッケージを開状態にて示した斜視図である。
【図３】図２のパッケージの後面図である。
【図４】図２のパッケージの側面図である。
【図５】ヒンジとインナフレームの側縁との配置関係を示した図である。
【図６】変形例のシガレットパッケージを示した図である。
【発明を実施するための形態】
【００１５】
図１及び図２を参照すると、一実施例のシガレットパッケージは直方体形状の箱２を備え、この箱２はその上端に矩形の開口４を有する。図１，２でみて、開口４の一方の側縁、即ち、開口４の左側縁にはヒンジ６を介して直方体形状の蓋８が結合されている。この蓋８はヒンジ６を中心に回動され、箱２の開口４を開閉する。
【００１６】
詳しくは、箱２は箱ボディ１０を含み、この箱ボディ１０はその上端に開口端１２を有する。蓋８は開口端１２の左側縁にヒンジ６として結合されている。
【００１７】
更に、箱２は箱ボディ１０内に配置されたインナフレー１４を更に含み、このインナフレーム１４は開口端１２から部分的に突出している。インナフレーム１４は箱ボディ１０の横断面でみてＵ字形状をなし、その上側に前縁１４ａ及び一対の側縁１４ｂ，１４ｃをそれぞれ有する。インナフレーム１４は開口端１２と協働して箱２の開口４を形成する。具体的には、開口４は、開口端１２のヒンジ６、開口端１２の後縁並びにインナフレーム１４の前縁１４ａ及び側縁１４ｂにより規定されている。前縁１４ａは開口４の後縁と平行であり、側縁１４ｂはヒンジ６と平行である。なお、側縁１４ｃはヒンジ６と合致した状態で位置付けられている。
【００１８】
更に、開口端１２は前縁１２ａ及び側縁１２ｂを有し、これら前縁１２ａ及び側縁１２ｂはインナフレーム１４の前縁１４ａ及び側縁１４ｂの下方にそれぞれ位置付けられている。即ち、インナフレーム１４は前縁１２ａ及び側縁１２ｂから部分的に突出している。
【００１９】
前縁１２ａ及び側縁１２ｂが同一の面上に展開されたとき、前縁１２ａ及び側縁１２ｂは互いに協働して略略Ｕ字形を形作る。詳しくは、前縁１２ａはヒンジ６側の部位に位置付けられ、ヒンジ６から下方に向けて傾斜した傾斜部分１３ａと、この傾斜部分１３ａから箱ボディ１０における前壁の幅方向に延びる水平部分１３ｂとを有する。一方、側縁１２は開口４の後縁側の部位に位置付けられ、前記後縁から下方に向けて傾斜した傾斜部分１５ａと、この傾斜部分１５ａから箱ボディ１０における側壁の幅方向に延びる水平部分１５ｂとを有する。なお、水平部分１３ｂ，１５ｂは、箱ボディ１０の前壁と側壁との間の境界にて合致している。
【００２０】
蓋８が閉じられたとき、蓋８はインナフレーム１４の突出部分に被さり、図１から明らかなように、蓋８の開口端１７は開口端１２に合致する。
【００２１】
更に、インナフレーム１４の上縁は凹み１６を有し、この凹み１６は前縁１４ａから側縁１４ｂに亘って形成されている。図２から明らかなように、前線１４ａに位置した凹み１６の部分は前縁１２ａと同様な形状を有するが、ヒンジ６側に位置した前線１４ａの一部を残している。
【００２２】
箱２内にはインナパックＰが収容されている。このインナパックＰは２０本のフィルタシガレットの束と、この束を包み込む包材とを含む。前述した開口４及び凹み１６はインナパックＰの上面のみならず、インナパックＰの前面及び側面をモブ部分的に露出させる。凹み１６は、箱２からのフィルタシガレットの取出しを容易にする。
【００２３】
更に、図２に示されているように、蓋８は鰭、即ち、引出しフリッパ１８を備えている。蓋８が開かれたとき、引出しフリッパ１８は箱２から引き出されて、ポップアップ壁２０を形成し、このポップアップ壁２０は、蓋８の開口端１７の後縁から箱２の開口４の後縁に亘って延びる。詳しくは、引出しフリッパ１８は蓋８の後壁の内面に結合された上端を有し、蓋８から箱２に向けて垂下されている。蓋８が閉じられたとき、引き出しフリッパ１８、即ち、ポップアップ壁２０は箱ボディ１０内に収容され、箱ボディ１０の後壁とインナパックＰとの間に挟み込まれる。
【００２４】
具体的には、図３から明らかなように、ポップアップ壁２０はヒンジ６を中心とした扇形、即ち、セクタ形状をなし、ヒンジ６から延びる直線縁１８ａと、この直線縁１８の先端と蓋８との間を繋ぐ円弧縁１８ｂとによって形作られている。
【００２５】
本実施例の場合、扇形のポップアップ壁２０は９０°の中心角を有し、ヒンジ６と円弧縁１８ｂとの間の長さ、即ち、ポップアップ壁２０の半径は開口４の幅に一致する。更に、引出しフリッパ１８を形成する紙材料は箱ボディ１０を成形するためのブランクよりも硬く、また、引き出しフリッパ１８の厚みはブランクよりも厚い。
【００２６】
上述したシガレットパッケージによれば、ヒンジ６は箱２の前後方向への蓋８の回動を許容するのではなく、箱２の左右方向への蓋８の回動を許容する。即ち、蓋８は箱２の左右方向に回動し、箱２の開口４を開閉する。それ故、本実施例のシガレットパッケージは、通常のヒンジリッドパッケージとは大きく異なった新奇な開閉形態を提供する。
【００２７】
更に、蓋８が開かれたとき、引出しフリッパ１８は蓋８と箱２の開口４との間にポップアップ壁２０を出現させる。このポップアップ壁２０は、本実施例のシガレットパッケージに独特な開形態を提供し、ユーザの購買意欲を更に促進させる。
【００２８】
ポップアップ壁２０は扇形をなし、開口４の幅に一致する半径を有する。それ故、蓋８が開かれたとき、引き出しフリッパ１８は開口４の幅全域から引き出され、蓋８と箱２の開口４との間の領域をカバーする広いポップアップ壁２０を提供する。
このようなポップアップ壁２０の表面及び裏面は商品の広告及び情報の表示に利用でき、この表示はユーザの購買意欲を更に促進させる。しかも、引出しフリッパ１８は蓋８の開閉を案内するガイドとしても機能し、ユーザは蓋８の開閉操作を円滑に行うことができる。
【００２９】
更に、図４から明らかなようにインナフレーム１４の凹み１６は、インナフレーム１４の前縁１４ａから側縁１４ｂに亘って延びているので、箱２の前面側のみならず、箱２の側面側からもフィルタシガレットの抜き出しが可能となり、ユーザはフィルタシガレットの抜き出しを容易に行うことができる。
【００３０】
更にまた、図５に示されようにインナフレーム１４の側縁１４ｃがヒンジ６に沿って配置されているので、側縁１４ｃはヒンジ６のための補強部材、即ち、ライナとして機能し、ヒンジ６の耐久性を向上させる。それ故、インナパックＰ内の全てのフィルタシガレットが消費される間に蓋８が繰り返して開閉されても、蓋８の安定した開閉が保証される。
【００３１】
本発明は上述の一実施例に制約されるものではない。
例えば、図６に示されるように引き出しフリッパ１８はその直線縁１８ａの先端に突起２２を有することができる。引き出しフリッパ１８が蓋８の開操作によって箱２から引き出されたとき、突起２２は箱２における側壁の内面に衝突し、蓋８の開き角度を決定する。即ち、突起２２は、箱２からの引き出しフリッパ１８、即ち、ポップアップ壁２０の抜け出しを阻止するストッパとして機能する。
【００３２】
なお、上述した突起２２は引き出しフリッパ１８の円弧縁１８ｂにあってもよい。しかしながら、蓋８の開き角度を大きく確保するために、突起２２は直線縁１８ａの先端に配置されているのが望ましい。
【００３３】
また、引出しフリッパ１８、即ち、ポップアップ壁２０は、扇形以外の形状を有することができる。更に、箱ボディ１０の開口端１２の形状、インナフレーム１４の上端の形状もまた任意に変更可能である。
【符号の説明】
【００３４】
２              箱
４              開口
６              ヒンジ
８              蓋
１０            箱ボディ
１２            開口端
１２ａ          前縁
１２ｂ          側縁
１４            インナフレーム
１４ａ          前縁
１４ｂ          側縁
１６            凹み
１８            引出しフリッパ
２０            ポップアップ壁
【図１】
2009157344.tif 000003
【図２】
2009157344.tif 000004
【図３】
2009157344.tif 000005
【図４】
2009157344.tif 000006
【図５】
2009157344.tif 000007
【図６】
2009157344.tif 000008
【国際調査報告】
2009157344.tif 000009
2009157344.tif 000010